【手続補正書】
【提出日】平成21年2月12日(2009.2.12)
【手続補正１】
【補正対象書類名】特許請求の範囲
【補正対象項目名】全文
【補正方法】変更
【補正の内容】
【特許請求の範囲】
【請求項１】
少なくとも１方は透明な基板間に、帯電ないし磁化した微粒子が液体、液晶またはガス媒体中に分散された分散系が挟まれてセルを構成しており、該セル中の微粒子分散状態を該基板に垂直方向のセルの光学的遮蔽状態とし、該微粒子を横電界ないし横磁界で該基板に水平方向に移動させ該駆動電極に堆積させて、分散状態の微粒子の量を変調することによって該セルの光学的遮蔽状態を変調する横方向粒子移動型表示装置において、主面が表示面と垂直な板状の駆動電極と共通電極が櫛型、渦型ないしこれと類似の構成で相対向して設けられており、電極の主側面両面に該微粒子を堆積する駆動電極がセル内に少なくとも１つ設けられており、該駆動電極の面積率が２０％以下、該駆動電極の該基板に平行な面と垂直な主面の面積比が０．２以下となるように構成されていることを特徴とした表示装置
【請求項２】
請求項１において該駆動電極と共通電極の電極間ピッチＰが５〜１００μｍ、セルギャップｄをピッチＰの０．１〜１．５倍に設定されていることを特徴とした表示装置
【請求項３】
請求項１〜２のいずれか１項に記載の表示装置において該板状電極は（１）電鋳、（２）導電性高分子、導電性塗料、金属粉、導電トナー粉のいずれかを整形加工、（３）金属箔ないし金属薄膜のマイクロ加工のいずれかの方法で形成されていることを特徴とした表示装置
【請求項４】
請求項１〜３のいずれか１項に記載の表示装置において該板状電極はＬＩＧＡプロセスを利用して形成されていることを特徴とした表示装置
【請求項５】
請求項１〜４のいずれか１項に記載の表示装置において、該微粒子がそれぞれ赤色を吸収するシアン色透過性、緑色を吸収するマゼンタ色透過性、青色を吸収するイエロー色透過性であり少なくともこれら３層が積層されていることを特徴としたフルカラー表示装置
【請求項６】
請求項１〜４のいずれか１項に記載の表示装置は隣り合う画素にそれぞれＲ，Ｇ，Ｂのカラーフィルタが設けられていることを特徴としたカラー表示装置
【請求項７】
請求項１，５，６のいずれか１項に記載の表示装置において該微粒子は磁性を有しており、該駆動電極が横磁界を発生するように構成されていることを特徴とした表示装置
【請求項８】
請求項１〜７のいずれか１項に記載の表示装置はバックライトが設けられており、セル厚をｄ、電極ピッチをＰ、バックライト側基板厚をＨとする時、該バックライトからの放射光は平行度がθ＝ｔａｎ-1（Ｐ／（Ｈ＋ｄ））より小さくなるように設計されていることを特徴とした表示装置 
【手続補正２】
【補正対象書類名】明細書
【補正対象項目名】０００１
【補正方法】変更
【補正の内容】
【０００１】少なくとも１方は透明な基板間に、帯電ないし磁化した微粒子が液体、液晶またはガス媒体中に分散された分散系が挟まれてセルを構成しており、該セル中の微粒子分散状態を該基板に垂直方向のセルの光学的遮蔽状態とし、該基板間に設けられた、駆動電極と共通電極間に電圧を印加して該微粒子を該基板に水平方向に移動させて該駆動電極に堆積させて、分散状態の微粒子量を変調することによって該セルの光学的遮蔽状態を変調する横電界粒子移動型表示装置において、主面が表示面と垂直な板状の駆動電極と共通電極が櫛型、渦型ないしこれと類似の構成で相対向して設けられており、電極の主側面両面に該微粒子を堆積する駆動電極がセル内に少なくとも１つ設けられており、該駆動電極の面積率が２０％以下、該駆動電極の該基板に平行な面と垂直な主面の面積比が０．２以下となるように構成されていることを特徴とした表示装置であって、高精細小型パネルをライトバルブとした拡大投射表示、小型からメートルサイズの直視型表示装置、薄型フレキシブルな白黒およびフルカラー電子ペーパ表示、基本セルないし基本パネルを２次元状に多数配列した超大型表示装置まで広範囲の表示サイズに適用でき、また反射専用、透過専用あるいは反射、透過両用に適用可能な表示装置とその製造法に関するものである。
【手続補正３】
【補正対象書類名】明細書
【補正対象項目名】０００４
【補正方法】変更
【補正の内容】
【０００４】他の構成は図２（Ａ），（Ｂ）に示されている。ここではコレクト電極４が網目状電極よりなり、粒子を透明カウンター電極３上に堆積させるかないしは粒子分散状態で暗状態、網目状コレクト電極４上に堆積させた時明状態となる。さら他の構成は（Ｃ）、（Ｄ）にそれぞれ正面図と断面図で示すように、隔壁の内面に正面から見て四角形の輪状カウンター電極３、画素中央部に四角柱のコレクト電極４を設け、微粒子をコレクト電極４ないしカウンター電極３に集めて明状態、粒子分散状態で暗状態を実現するものである。
【手続補正４】
【補正対象書類名】明細書
【補正対象項目名】０００５
【補正方法】変更
【補正の内容】
【０００５】図１の如き電極構成及び表示モードでは駆動電圧の上昇、応答速度の低下を来たすという重大な問題を抱えていた。更に電子シャッターとして最重要な光線透過率、光線遮断率についても十分考慮されていなかった。従来の図１の構成では両端のコレクト電極４の中間辺り（すなわちセル中央部）にある粒子は電界が弱い上に、明暗時にこれらの粒子をコレクト電極上ないしカウンター電極中央部までもたらすには長い距離を移動させる必要があり、明、暗の切替時間（応答速度）が極端に悪化する問題があった。また不均一電界中で面積の大きいベタ透明カウンター電極上に粒子を均一に堆積させることが困難であるため、コントラストに優れた表示を実現することが難かしかった。図２（Ａ）、（Ｂ）の如き電極構成及び表示モードでは確かに画素面内で電界強度を均一化した点で優れている。また暗状態を必ずしも粒子をカウンター電極に集積した状態ではなく、粒子がほぼ均一に分散した状態を用いていることも応答性改善に繋がる。しかしながら網状電極の断面形状について十分検討されず網状電極の上面のみに粒子を堆積するしかなかったため、透過率に優れた明状態を実現することができなかった。図２（Ｃ）、（Ｄ）は粒子分散状態を暗状態に用いているから良好な暗状態を実現できる点では望ましいが、電極構成から駆動電圧の上昇、応答速度の低下が避けられない難点を有していた。また不均一電界下での粒子脱着ゆえ画素内での粒子濃度の偏りにより、表示特性の悪化や表示ムラの発生が避けられないことが致命的であった。すなわち図１，図２（Ｃ），（Ｄ）の従来例では画素内での電界の均一性を確保できず、従って微粒子の濃度の偏りを避けられず、高コントラスト、高透過率、低電圧駆動、高速応答を実現する実用的な表示装置になり得なかった。【特許文献２】特開平０３−９１７２２公報
【特許文献３】ＵＳＰ5,745,094
【特許文献４】特開平９−２１１４９９
【特許文献５】特開２００１−２０１７７０
【特許文献６】特開２００４−２０８１８
【特許文献７】特表２００５−５００５７２
【特許文献８】特開２００２−３３３６４３
【特許文献９】特開２００３−２４８２４４
【特許文献１０】特開２００５−３９６４
【特許文献１１】特開２００４−２５８６１５
【特許文献１２】特開２００４−２５２２７７
【特許文献１３】特開２００２−１２２８９０
【手続補正５】
【補正対象書類名】明細書
【補正対象項目名】０００６
【補正方法】変更
【補正の内容】
【０００６】広く普及している液晶表示装置は偏光板やカラーフィルタを用いているから光ロスが多大であり、印刷物や写真のような明るく高コントラストの反射型カラー表示を実現することはできていない。横電界粒子移動型表示装置は粒子を横方向に移動させてセルの透過率を変調できるから光ロスを軽減できる可能性を有するものであるが、従来提案されているセル構成では光ロスの少ない十分に明るい表示の実現が困難であった。横電界粒子移動型表示装置を多様な表示の用途に適用するには種々の画素サイズに対応できる必要がある。拡大投射に用いるライトバルブでは小型、高精細が要求されるから画素サイズは１０μｍ以下の場合もある。一方屋内外に設置される公衆ディスプレイではセンチメートルオーダの画素になる場合もあるが、画素サイズに拘わらず低電圧で駆動できるセル構成が未開発であった。画素の大きさだけでなく屋内外用では反射型とバックライトを設けた透過型の兼用が望まれるがこのような表示装置は未開発であった。本願は横方向粒子移動型ディスプレイをあらゆるサイズの画素に適用でき、尚且つ低電圧駆動で高透過率、高コントラスト、高速応答を実現することによって反射／透過兼用など多様な表示の用途に適用できるようにしたものである。
【手続補正６】
【補正対象書類名】明細書
【補正対象項目名】０００９
【補正方法】変更
【補正の内容】
【０００９】図３（Ｂ）のように電極６−1と６−２間にＤＣ電圧を印加すれば、主として電極６−１，６−２で形成される電気力線に沿って微粒子５が移動し、正に帯電している場合負極の電極６−１の側面に集積する。粒子が集積した電極６−１、および未集積の電極６−２以外の領域は光を遮るものがなく透明となる。ここで６−1、６−２間に逆極性の適切なＤＣ電圧パルスないしＡＣ電圧を印加すれば６−１上の微粒子は電極を離れてセル８中に再分布し、セル８は再び不透明となる。このようにセル８内の分散状態の粒子量（したがって６−１へ集積させる粒子量）を変えることによってセル８の基板に垂直方向の透過率を連続的に変化でき集積状態の粒子は電圧を切って後もその状態を維持するため表示はメモリ性を有する。分散系７は透明な液体、透明液晶体、ガス体中に正または負に帯電した微粒子が分散されたものから成り、分散媒が液体や液晶の場合は粒子の移動は電気泳動と呼ばれる。電極６−１、６−２の形状は図４に正面図で示すように、櫛型、渦型、ないしこれらと類似形状など種々の形が用いられる。いずれも基板に平行な面は細幅で、側面は高さがほぼセルギャップに等しく広面積であることに特徴がある。
【手続補正７】
【補正対象書類名】明細書
【補正対象項目名】００１０
【補正方法】変更
【補正の内容】
【００１０】本発明では粒子を集積する電極６−１を駆動電極、他方の電極６−２を共通電極と呼ぶ。板状の駆動電極がセル全面に存在し、共通電極６−２との間のほぼ均一な横電界により、その方向と粒子の帯電極性に依存して粒子は集積、分散を繰り返すことができる。この粒子移動型表示法を水平（横）電界型粒子移動表示法と名づけている。図３（Ｂ）から明らかな通り、微粒子は広面積の駆動電極の両側面に堆積できることが重要な特徴である。図２（Ｃ），（Ｄ）は柱電極の周辺に粒子を堆積できるが次のような課題を抱えていた。すなわち不均一電界下で粒子を脱着せざるを得ず、画素内の粒子は不均一電界に対応した分布になり、粒子濃度が画素面内で不均一化する。粒子濃度の不均一化は微視的には透過率の差、粒子の動き易さの差を生み出す。図２（Ｃ），（Ｄ）では電界の弱い４つの隅に粒子が偏在しやすい。画素内で必然的に発生する粒子濃度の大小分布のため、初期と同じ駆動条件では明透過率、暗透過率、応答速度の悪化を引き起こす。粒子濃度が上がった領域が明透過率、応答を悪化させ、粒子濃度が希薄化した領域が暗透過率を上昇させてしまうからである。また画素によって粒子の脱着頻度が異なるため表示ムラにつながる。すなわち画素内での電界の均一性確保は高性能、高信頼性実現のため粒子移動型表示装置では極めて重要な課題であるが従来の図１、図２（Ｃ），（Ｄ）はこの問題が未解決であり、課題が十分意識されていたとも言い難い。本願図３の平板櫛型電極構成によって画素内粒子濃度の均一化が確保された意義は甚大である。直視型表示の中精細度では画素ピッチは３００μｍ程度であり、図２（Ｃ）では電極間距離が最短でも約１５０μｍになってしまい、高電圧、低速駆動が避けられなかった。しかるに図３の櫛型電極構成では駆動電極と共通電極間ピッチＰを自由に選択できるから電極面積率増大と視野角低下が許容できる範囲で画素内に複数の電極を挿入することで画素サイズに拘わらず低電圧、高速応答が実現できる利点が発現する。平板櫛型電極構成は更なる利点を発揮する。すなわち粒子を出来るだけ広く薄く堆積させるのは応答速度の低下を避けるための重要な対策である。電極に厚く堆積した粒子層は通常電界を弱めると共に電極から脱出時電極に近い粒子ほど脱出が遅れるためである。図２（Ｃ）、（Ｄ）では柱状コレクト電極に粒子を堆積しても明状態になるが、これを避けて面積の大きい周辺電極に堆積させるのはそのためである。図２（Ｃ）、（Ｄ）の構成の他の難点は粒子を堆積できる大面積電極は周囲４面のみに制約されることである。ほぼ同等の面積は図３の構成なら３電極構成で実現できる。平板電極に同じ厚みのものを使用すれば電極面積率は図３の方が柱電極部を無視しても３／４＝７５％ですみより明るい表示を実現できる。図２（Ｃ）と同じ面積率なら画素内に２枚の電極を挿入でき、６面分の粒子堆積面積を確保できるから電界強度の上昇に加えて薄い粒子層の着脱で明・暗を切り替えることが可能になり駆動電圧を低減でき、応答速度を顕著に向上できる。これまで面積の大きい平板電極の片面のみに粒子を堆積する構成は図２（Ｃ）などで提案されているが、表示面と垂直方向に面積の大きい平板電極対で粒子を移動させ１��の電極の両主面に粒子を堆積する図３の構成は本願が初めてである。これによってほぼ均一電界での粒子移動により画素内での粒子濃度の均一性の確保すなわち信頼性確保、低電極面積率で粒子を広く薄く堆積させることによる応答速度向上と高透過率の実現、画素が大きくなっても低電圧駆動の実現など各種表示性能において本願図３の櫛型構成は従来構成の種々の難点を克服したものである。このように櫛型電極構成は特性面、信頼性面から絶大な利点をもたらすものであるためサイズが３００μｍないしそれ以下の高精細画素であっても櫛型電極構成を採用し、両側面に粒子を堆積する電極をセル内に少なくとも一枚設けることは理にかなった大いに推奨すべき構成である。勿論図３の構成で平板状駆動および共通電極間の電界の均一性を確保するためには各々の複数の電極板同士を繋ぐ配線などは剥き出しにすることなく絶縁性隔壁に埋め込むなり、絶縁体で覆うなどの配慮が必要である。
【手続補正８】
【補正対象書類名】明細書
【補正対象項目名】００１１
【補正方法】変更
【補正の内容】
【００１１】図５に示すように、粒子を堆積できる１個の板状駆動電極６−１の基板に平行な面の面積をΔｓ、基板に垂直な面の面積をΔｚとし、本願ではΔｓ／Δｚを駆動電極のアスペクト比と呼ぶ。板厚の高さに対する割合でもある。本願は低アスペクト比の駆動電極を用いることを特徴としており、粒子堆積状態（明状態）では分散されていた粒子が広面積の駆動電極側面（Δｚ）に薄く堆積する結果、この部分での光遮蔽効果は小さくこれによってセルの高透過率が実現できる。また隔壁部を除く画素面積をＳとし、１画素中の電極数をｎとする時、Δｓ×ｎが電極そのものによる光遮蔽面積となる。この電極による光遮蔽面積の画素面積に対する割合を本願では電極面積率と名づけている。本願では高透過率を実現するため、電極の面積率を２０％以下にすることを特徴としている。たとえば画素面積を１００μｍ角とし、電極厚み２μｍ、高さ１００μｍの電極（Δｓ＝２００μｍ２）が４本設けられていれば電極面積率は８％となる。本願セル構成では共通電極にアスペクト比の小さなものを駆動電極と対向させてあるから共通電極による光遮蔽も小さく、かつ両電極間の電界の均一性も良好であるから、高速、高透過率表示の実現にまさに好適な構成となる。板状電極の厚みは画素サイズ、セルギャップ、製造工法、機械的強度に依存するが通常０．１〜３０μｍ、望ましくは０．２〜２０μで用いられる。セル厚は５〜１００μｍが適切であるからアスペクト比Δｓ／Δｚは０．２以下が適当である。
【手続補正９】
【補正対象書類名】明細書
【補正対象項目名】００１５
【補正方法】変更
【補正の内容】
【００１５】一例として図６に示すように基板２上にあらかじめ電極および配線パタンを形成しておき（Ａ）、この上にレジストパタンを形成（Ｂ）し、電鋳によって電極パタン上のレジストのない孔を金属で埋め（Ｃ）、その後レジストを除去（Ｄ）する方法が利用できる。厚いレジストに縦方向に幅狭の孔を空ける方法として一般にＬＩＧＡプロセス（ドイツ語でＸ線を用いたフォトリソグラフィ(Lithographie), 電解めっき(Galvanoformung),形成(Abformung)による微細加工を意味する）とよばれるものが有効である。すなわち透過性が高く直進性に優れたシンクロトロン放射光をポリメチルメタクリレート（ＰＭＭＡ）などの厚膜樹脂層のメタルマスク層のない部分に照射し、ＰＭＭＡを低分子化して易溶解性にすることによって基板に垂直方向に微細でシャープな孔を設けることができ、この孔を電鋳によって金属で充填後、図３（Ｃ）に示す如き隔壁部を残してＰＭＭＡを溶解除去すればよい。
【手続補正１０】
【補正対象書類名】明細書
【補正対象項目名】００２９
【補正方法】変更
【補正の内容】
【００２９】図８を用いて本表示装置での粒子集積時の明状態でのセル透過率について述べる。十分ないんぺい性が得られる濃度に微粒子を分散させた分散系中の粒子をすべて上基板に集積したと想定（粒子が双極性であってもとにかく全粒子を片側基板に集積したと想定）しこの時の粒子層の厚みをh、画素の面積をＳとする（Ａ）。１画素内の粒子を堆積させる電極の総面積はΔｚ×ｎ（ただしｎは１画素内で粒子を堆積できる面の数）とし、分散粒子をすべてΔｚ×ｎに集積したとした明状態では、電極上の粒子層の厚みeはh*Ｓ/Δｚ／ｎとなる（Ｂ）。たとえば通常のカーボンブラックのいんぺい力は９３００ｃｍ２／ｇと計測されている。密度が約１．７であるから固体層とすればたった０．６３μｍである。実際の堆積粒子層では粒子間空隙等存在するから粒子層の厚みはこれよりかなり大きくはなるがせいぜい数μｍ厚である。仮に粒子層厚ｈ＝３μｍ（空隙率＝７８％）としてもＳ≒Δｚ、ｎ＝４のセル構成ではｅ＝ｈ／４＝０．７５μｍにしかならない。すなわち（００１１）で述べた１００μｍ角のセルの例では粒子堆積時の明状態では２μｍ厚の電極が２．７５μｍ厚になったのと等価であるからセルの光透過率は（１００２−２．７５×１００×４）／１００２＝８９％という好ましい高透過率が実現できることになる。電極厚が０．５μｍ、５μｍの場合各々９５％、７７％の透過率が得られ、従って同時に高コントラストが実現できることになる。当然のことながら画素が小さくなるほど電極厚を薄く構成することに留意する必要がある。
【手続補正１１】
【補正対象書類名】明細書
【補正対象項目名】００３０
【補正方法】変更
【補正の内容】
【００３０】粒子濃度を下げれば一般に粒子の移動速度は速くなり、セルギャップｄを厚くすれば低粒子濃度（ｇ／ｃｍ3）でも隠ぺい性を高めることができる。いんぺい性（表示面から見た単位面積当りの粒子量）を等しくしたままでセル厚ｄを増大させれば暗状態は同じだが明状態は改善される。堆積する粒子層厚が減じるからである。すなわちセルギャップdを厚くするほど高透過率、高コントラストが実現でき、低粒子濃度化（ｇ／ｃｍ3）と堆積粒子層厚低下により高速応答化にもつながる。ｄ大は高透過率、高コントラスト、高速応答を、電極ピッチＰ小は低電圧、高速応答をもたらす。しかしｄ／Ｐが大きいほど視角特性が悪化するため反射型などの用途では小さくし、平行度の高いバックライト光を利用する用途等では大きくしてもよい。
【手続補正１２】
【補正対象書類名】明細書
【補正対象項目名】００３１
【補正方法】変更
【補正の内容】
【００３１】図９（Ａ）にセルギャップｄ（ほぼ電極高さ）、電極ピッチＰ、バックライト放射角θ、下基板厚Ｈの関係を示す。分散系は双極性で粒子は駆動、共通電極の両側面に堆積しているものとしている。また放射光の内電極面に垂直な面内の成分のみについて議論している。下基板下面のＡ点からのバックライト放射光の内垂線からの角度θ（＝tan-1（Ｐ／（Ｈ+ｄ）））を超える光線の中でθ１、θ２、…θｎの成分は堆積粒子層で吸収されて外部に出射できずロスとなる。図９（Ｂ）、（Ｃ）から明らかな通り、基板厚Ｈが厚いほど、ギャップｄが厚いほど電極ピッチＰを大きくしないとθ小すなわち視角が狭くなる。反射型で用いる場合は基板２を反射性にしておけばＢ点からの反射光となりロスとなる光線はθＲ（＞θ）を超える反射光であるから基板下面からの反射よりは有利になるが、ｔａｎ（θＲ）＝Ｐ／ｄより、ギャップｄ大でθＲ小となり、ピッチＰを大きくしないとやはり視角が狭くなりロスが増える。透過で用いる場合は液晶ディスプレイで用いられているようにバックライト光をプリズムシートで平行光化（＜θ＝ｔａｎ-1（Ｐ／（Ｈ＋ｄ））すれば光線ロスは大きく改善される。
【手続補正１３】
【補正対象書類名】明細書
【補正対象項目名】００３２
【補正方法】変更
【補正の内容】
【００３２】図１０を用いて本表示装置の輝度の視角特性のセルギャップｄ、電極ピッチＰ依存性について述べる。図１０に示す通り電極基板面に垂直面内で垂線からの角度θ方向（バックライト放射光ないし反射光は完全拡散光と想定している）から本表示装置を見た場合、図１０（Ａ）の電極間領域Ｐの内ΔＰ領域（図のΔθ領域に相当）は電極の影になって見えない。電極間領域Ｐに対して影となる領域ΔＰの割合（ΔＰ／Ｐ）を輝度低下割合Ｆとすると、Ｆ＝ｄ×tan（θ）／Ｐで表される。当然ながら図１０（Ｂ）、（Ｃ）に見る通り、角度θが大なる程、ピッチＰが小なる程、ギャップｄが大なる程輝度ロスＦが増大する。低粒子分散濃度で高速、高コントラストを実現するためセルギャップｄを大にするには限度があり、低電圧、高速駆動のため電極ピッチＰを小さくすることも限度があることを示す。図１０（Ｄ）はＦをパラメータにｄ／Ｐとθの関係を示す。輝度ロスを低下するにはｄ／Ｐを小さく、視角θを小さくする必要がある。ロスＦを１０％程度に抑えθ約４５度を確保するにはｄ／Ｐ≒０．１である必要があり、θ≒８度に平行光化したバックライトを用いてもｄ／Ｐ≒１．５を超えるとロスＦが２０％を超えることになる。従って明るさの確保という点からはｄ／Ｐは０．１以上、１．５以下であることが望ましいと言える。
【手続補正１４】
【補正対象書類名】明細書
【補正対象項目名】００３４
【補正方法】変更
【補正の内容】
【００３４】図３で粒子を隔壁２０によってセル内部に閉じ込めるのは微粒子が隣のセルに移動するのを妨げ各画素内の粒子濃度を一定に維持するためである。粒子移動型表示装置では通常、分散媒と粒子の比重差は出来るだけ小さいことが望ましい。
【手続補正１５】
【補正対象書類名】明細書
【補正対象項目名】００３８
【補正方法】変更
【補正の内容】
【００３８】図３ないし図１２の如きセルを３層積み重ねることによってフルカラー表示パネルを構成できる。ただし３層の微粒子５は各々Ｃ（シアン），Ｍ（マゼンタ），Ｙ（イエロー）色のものが用いられる。図１３にＣ，Ｍ，Ｙカプセル粒子系を用いるフルカラー表示パネルの断面を示す。ここでは１画素は３×３×３のカプセル粒子から構成されており、各色変調用の電極は図４（Ａ）に示すような電極対が用いられると想定している。Ｙ，Ｍ粒子が適度に分散状態にあり、Ｃ粒子が電極集積状態にあれば、その部分はＲ（赤）、Ｃ，Ｍ粒子が適度に分散状態でＹ粒子が電極集積状態では同じく減法混色によりＢ（青）、Ｙ，Ｃ粒子が分散状態ではＧ（緑）となる。勿論Ｃ粒子、Ｍ粒子、Ｙ粒子のみ分散状態では夫々Ｃ，Ｍ，Ｙ色となる。Ｃ，Ｍ，Ｙパネルに加えて、より完全に光を遮断するために白-黒に変調できる第４の色変調層が追加され４層構成をとる場合もある。またセルの積層順序は任意に選択可能である。白色バックライト１３オフ、オンの状態では白色拡散板兼白色バックライトにより反射カラーパネルないし透過カラーパネルとして使用できる。マルチカラー表示では色の異なる分散系の２層構成でもかまわない。
【手続補正１６】
【補正対象書類名】明細書
【補正対象項目名】００７１
【補正方法】変更
【補正の内容】
【００７１】本発明は次のような効果を奏する。微粒子を横電界なし横磁界で移動させて、光透過性を変化させる横方向粒子移動型表示装置であって、アスペクト比の小さな、狭幅、縦長の板状電極対の採用、板状電極両側面への粒子堆積という新規なセル構成を用いると共にセル中の微粒子量、電極ピッチ、セル厚、駆動電極面積率に検討を加えた。特に微粒子堆積面積を顕著に拡大でき、電界の均一性を高めたため堆積粒子層を均一厚でかつ薄くできこれによって低電圧で高コントラスト、高透過率を達成し、拡大投射用高精細小型ライトバルブ、小型からメートルサイズの直視型表示装置、薄型フレキシブルな白黒およびフルカラー電子ペーパ、数１０メートルを超える超大型表示装置まで広範囲の表示サイズに適用可能となり、反射専用、透過専用あるいは反射、透過両用に適用可能な表示装置が実現した。
【手続補正１８】
【補正対象書類名】図面
【補正対象項目名】図２
【補正方法】変更
【補正の内容】
【図２】
2009086390.tif 000001
【手続補正１９】
【補正対象書類名】図面
【補正対象項目名】図１０
【補正方法】変更
【補正の内容】
【図１０】
2009086390.tif 000002